(57)【要約】【課題】重ね着をすることなく、日常生活を快適に過ごすことが可能になる衣服、特に、冷え防止，マナー向上，ルックス向上、及び動きやすさ向上を可能にするゴルフウエアを提供する。【解決手段】衣服１００であって、着用者の肩及び胴体を覆う服本体１０と、上段裾部２と、前記上段裾部２の内側に重なるように設けられた下段裾部３とを有している。【選択図】図１
2010116657.tif 000002
【特許請求の範囲】
【請求項１】
衣服であって、
着用者の肩及び胴体を覆う服本体と、上段裾部と、前記上段裾部の内側に重なるように設けられた下段裾部とを有している。
【請求項２】
請求項１に記載の衣服であって、
前記服本体と前記上段裾部とを着脱可能にする上段取り付け部を有することを特徴とする衣服。
【請求項３】
請求項１に記載の衣服であって、
前記服本体と前記下段裾部とを着脱可能にする下段取り付け部を有することを特徴とする衣服。
【請求項４】
衣服の着用方法であって、
着用者の肩及び胴体を覆う服本体と、上段裾部と、前記上段裾部の内側に重なるように設けられた下段裾部とを有している。
前記着用者が着用するズボン又はスカートの内側に前記下段裾部を挿入することを特徴とする衣服の着用方法。
【請求項５】
衣服の着用方法であって、
着用者の肩及び胴体を覆う服本体と、上段裾部と、前記上段裾部の内側に重なるように設けられた下段裾部とを有している。  前記着用者が着用するズボン又はスカートの外側に前記下段裾部を露出させることを特徴とする衣服の着用方法。
【発明の詳細な説明】
【技術分野】
【０００１】  本発明は、日常生活を快適に過ごすことを可能にする衣服、特に、冷え防止，マナー向上，ルックス向上、及び動きやすさ向上を可能にするゴルフウエアに関する。
【背景技術】
【０００２】  従来より、ゴルフをプレーする際に着用するゴルフウエアが知られている（例えば、非特許文献１の（１）〜（３）参照）。
このような従来のゴルフウエアを着用してスイングをした場合には、トップオブスイングやフィニッシュの際、正面から見ると３ｃｍ〜２０ｃｍお腹が見える状態になる（例えば、非特許文献１の（１））。また、お腹を隠す場合には、例えば重ね着をしたり、シャツをズボンの中に入れたりする必要がある（例えば、非特許文献１の（２），（３）参照）。
【非特許文献１】「連続写真で上手くなる！」（２００８年アルバトロス・ビュー１１月２０日増刊号）  （１）Ｐ６６からの折り込み部分、Ｐ７６、Ｐ８０，Ｐ９０，Ｐ９６、Ｐ１０２、Ｐ１２２、Ｐ１２４、Ｐ１３４  （２）Ｐ８６、Ｐ１１０  （３）Ｐ１０、Ｐ５２
【発明の開示】
【発明が解決しようとする課題】
【０００３】  このような従来のゴルフウエアシャツを着用した場合、スイング中、特にフィニッシュにおいてお腹及びお臍が見えすぎてしまう。また、ティアップ及びボールマークをする場合、或いは、グリーン上でラインを読む場合には、背中やズボンの中から下着が見えることが多い。そのため、体の露出を気にしすぎてしまい、心理的に動きづらくなるという問題がある。また、ゴルフのマナー違反の点、及び見た目（ルックス）の点から見ても問題となる場合がある。さらに、そのようなゴルフウエアシャツは裾の短さに起因して、冷えによる腰痛等が生じてしまい、健康を害する恐れもある。
又、裾の長い、ズボンなどに入れるタイプのシャツの場合、お腹周りに脂肪がついている人は、お腹周りが露呈されてしまうことを気にしたり、ズボンの中からシャツが出てきてしまうことを頻繁に気にしたりしなければならないという問題がある。また、重ね着をする場合、衣服がかさばってしまうため、スイング動作に支障が生じる場合もある。
また、例えば夏のような気候においては、シャツ一枚で過ごしたいという要求があるため、重ね着することが難しいという問題がある。【０００４】  一般のゴルフウエア開発においては、吸汗速乾や伸縮性の素材、或いは発熱素材を用いてゴルフウエアの設計が行なわれているものの、ゴルフウエアの構造上の工夫は殆ど行なわれていない。【０００５】  本発明は、以上のような問題点を考慮してなされたものであり、重ね着をすることなく、日常生活を快適に過ごすことが可能になる衣服、特に、冷え防止，マナー向上，ルックス向上、及び動きやすさ向上を可能にするゴルフウエアを提供することを目的とする。
【課題を解決するための手段】
【０００６】プロゴルファー（登録名  中嶋千尋）である本発明者は、上記の問題点を鑑み、鋭意検討の結果、以下の構成を有する発明を見出した。
即ち、本発明の衣服は、着用者の肩及び胴体を覆う服本体と、上段裾部と、前記上段裾部の内側に重なるように設けられた下段裾部とを有している。  本また、本発明の衣服においては、前記服本体と前記上段裾部とを着脱可能にする上段取り付け部を有する。
また、本発明の衣服の着用方法は、着用者の肩及び胴体を覆う服本体と、上段裾部と、前記上段裾部の内側に重なるように設けられた下段裾部とを有している。  前記着用者が着用するズボン又はスカートの内側に前記下段裾部を挿入することを特徴とする。
また、本発明の衣服の着用方法は、着用者の肩及び胴体を覆う服本体と、上段裾部と、前記上段裾部の内側に重なるように設けられた下段裾部とを有している前記着用者が着用するズボン又はスカートの外側に前記下段裾部を露出させることを特徴とする。【０００７】  本発明の衣服及びその着用方法によれば、上記特徴点を有する下段裾部を備えているので、着用者がズボン又はスカートの内側に下段裾部を挿入したり、ズボン又はスカートの外側に下段裾部を露出させたりすることができる。
ここで、下段裾部をズボン又はスカートの内側に挿入した場合には、スイング中、特にフィニッシュの際に、お腹及びお臍の露出を防止することができる。また、ティアップ及びボールマークをする際、或いは、グリーン上でラインを読む際に、背中やズボンの中から下着が見えることもない。そのため、体の露出が気にならず、心理的に動きやすくなる。また、ゴルフのマナー向上及び見た目（ルックス）向上を実現することができる。さらに、下段裾部によってお腹回りが保温されるため、冷えによる腰痛等が予防することができる。また、下段裾部がズボン又はスカートの内側に挿入されることで、服本体と上段裾部とが露出する。そのため、服本体及び上段裾部に付された模様、色彩、絵柄、形状等によって衣服のデザインを実現することができる。
一方、下段裾部をズボン又はスカートの外側に露出した場合には、ズボン又はスカートの内側に下段裾部が配置されていない。そのため、スカートの内側が汗ばむことがなくなり、例えば夏のような気候においては快適にゴルフをプレーすることができる。また、下段裾部がズボン又はスカートの外側に露出されるので、服本体、上段裾部、及び下段裾部が露出する。そのため、服本体、上段裾部、及び下段裾部に付された模様、色彩、絵柄、形状等によって衣服のデザインを実現することができる。
また、服本体と上段裾部とを着脱可能にする上段取り付け部を備えているので、着用者の必要に応じて上段裾部を服本体に取り付けたり取り外したりすることができる。また、服本体と下段裾部とを着脱可能にする下段取り付け部を備えているので、着用者の必要に応じて下段裾部を服本体に取り付けたり取り外したりすることができる。
従って、衣服のデザインを着用者の好みに応じて、着用者が自由に決めることができる。
【発明を実施するための最良の形態】
【０００８】  以下、本発明の衣服及びその着用方法の実施の形態を図１〜図４を参照して説明する。
図１は、本実施の形態の衣服ので側面図あって、ズボンの内側に下段裾部が挿入される場合を示す図である。
図２は本実施の形態の衣服の正面図であって、スカートの内側に下段裾部が挿入されば場合を示す図である。
図１及び図２に示すように、本実施の形態の衣服１００は、着用者の肩及び胴体を覆う服本体１０と、上段裾部２と、下段裾部３とを有する。下段裾部３は、上段裾部２の内側に重なるように設けられている。
特に、服本体１０，及び下段裾部３の素材としては、ストレッチ性の高い周知の素材が用いられる。また、服本体１０，上段裾部２，及び下段裾部３には、模様、色彩、絵柄、形状等のデザイン（不図示）が適切に施されている。【０００９】  本実施の形態においては、上段裾部２及び下段裾部３が服本体１０に縫合されている。また、上段裾部２と服本体１０とは、符号１で示した接続部分において縫合されている。また、同様に、下段裾部３と服本体１０とは、接続部分１において縫合されている。また、下段裾部３をズボンなどに入れる際に邪魔にならないように、ウエストラインよりも上に４ｃｍ以上離れた位置に、上段裾部２及び下段裾部３が服本体１０に接合されている。また、縫合に用いる糸としては、伸縮性を有する糸が採用される。
また、上段裾部２の長さ２２、即ち、接続部分１から端部２１までの長さは、適切に設定される。具体的には、端部２１がウエストライン４よりも下に３〜７ｃｍ程度離れた位置になるように、上段裾部２の長さ２２は設定される。  よって接続部分１から端部２１までの長さは、８ｃｍ〜１４ｃｍくらいが妥当である。
また、下段裾部３の長さ３２、即ち、接続部分１から端部３１までの長さは、適切に設定される。例えば、激しい動作を行なった場合であってもズボン及びスカートから下段裾部３が出てこないような長さに設定される。          なお、上段裾部２の長さ２２及び下段裾部３の長さ３２は、一般の衣類の場合は用途に応じた長さにする。【００１０】  次に、本実施の形態の衣服１００を着用した場合について説明する。
図３は、本実施の形態の衣服を着用した着用者がスイングした状態（フィニッシュ）を示す図である。
図４は、本実施の形態の衣服を着用した着用者がグリーン上でラインを読んでいる状態を示す図である。
図３及び図４において、符号５は着用者が着用しているスカートである。また、図１及び図２において述べたように、スカート５の内側に下段裾部３が挿入されている。【００１１】  図３に示すように、下段裾部３がスカート５の内側に挿入された状態でスイングすると、下段裾部３が体を隠すので、お腹及びお臍の露出を防止することができる。また、図４に示すように、下段裾部３がスカート５の内側に挿入された状態でボールマークをすると、下段裾部３が体を隠すので、お腹及びお臍の露出を防止することができる。
従って、図３又は図４に示す動作の際に、背中やズボンの中から下着が見えることもない。そのため、体の露出が気にならず、心理的に動きやすくなるという効果が得られる。また、ゴルフのマナー向上及び見た目（ルックス）向上を実現することができる。さらに、下段裾部によってお腹回りが保温されるため、冷えによる腰痛等が予防することができる。また、下段裾部３がスカート５の内側に挿入されることで、服本体１０と上段裾部２とが露出する。そのため、服本体１０及び上段裾部２に付された模様、色彩、絵柄、形状等によって衣服１００のデザインを実現することができる。【００１２】  一方、図３及び図４において、下段裾部３をスカート５の外側に露出した場合には、スカート５の内側に下段裾部３が配置されていない。そのため、スカート５の内側が汗ばむことがなくなり、例えば夏のような気候においては快適にゴルフをプレーすることができる。また、下段裾部３がスカート５の外側に露出されるので、服本体１０、上段裾部２、及び下段裾部３が露出する。そのため、服本体１０、上段裾部２、及び下段裾部３に付された模様、色彩、絵柄、形状等によって衣服１００のデザインを実現することができる。【００１３】  なお、上記の実施の形態においては、服本体１０に上段裾部２及び下段裾部３が縫合された衣服１００を述べたが、必ずしも上段裾部２及び下段裾部３が縫合されている必要はない。例えば、服本体１０と上段裾部２とを着脱可能にする上段取り付け部、或いは服本体１０と下段裾部３とを着脱可能にする下段取り付け部が設けられていてもよい。
この場合、ホック，ファスナー，ボタン，及びマジックテープ等によって上段裾部２及び下段裾部３が着脱可能となっていることが好ましい。
【発明の効果】
【００１４】  以上、述べたように、本発明の衣服及びその着用方法においては、激しい動きを行なう場合であっても、お腹や背中、下着が見えることを心配をせずに、のびのびとプレーに専念できる。また、外に出す裾が短めのためプレーの邪魔にならないという効果、及びマナーが保たれるという効果が得られる。
また、見た目には短い裾を出しているようにしか見えないので、胴が短く、足が長く、おなか周りの脂肪が気になる人もカバーできスタイルアップ効果がある。
万病のもと冷え対策にもなり、おなか周りが２重になっている事で軽い腹巻効果を得ることができる。
また、重ね着のしにくい季節も１枚で過ごすことができる。
また、夏でも従来の裾が１枚の短いゴルフウエアを着用した場合には、外で汗をかいたあとに冷房のきいたクラブハウスに入るとおなか周りを冷やすことがあるが、本発明の衣服を用いることにより、これらの問題点が解消され、風邪予防にもなる。
【産業上の利用可能性】
【００１５】  ゴルフウエアに限らず、冷え性の多い女性向けの事務服や普段着に、また、動きの大きい引越し業や宅配業者、漁師、農家などのユニフォーム等、各分野に有効である。
【図面の簡単な説明】
【００１６】
【図１】本実施の形態の衣服ので側面図あって、ズボンの内側に下段裾部が挿入されている場合を示す図である。
【図２】本実施の形態の衣服の正面図であって、スカートの内側に下段裾部が挿入されている場合を示す図である。
【図３】本実施の形態の衣服を着用した着用者がスイングした状態（フィニッシュ）を示す図である。
【図４】本実施の形態の衣服を着用した着用者がグリーン上でラインを読んでいる状態を示す図である。
【符号の説明】
【００１７】１・・・上段と下段の接続部
２・・・上段裾部、
３・・・下段裾部、
４・・・ウエスト位置
５・・・スカート
１０・・・服本体
２１・・・上段の裾部の端部      ２２・・・上段の裾部の長さ
３１・・・下段の裾部の端部      ３２・・・下段の裾部の長さ
１００・・・衣服。
【図１】
2010116657.tif 000003
【図２】
2010116657.tif 000004
【図３】
2010116657.tif 000005
【図４】
2010116657.tif 000006